(57)【要約】【課題】貯留部からメダルを抜き取る不正行為を防止できるとともに、メダル補給時においても効率的に補給作業が行えるホッパー装置を提供する。【解決手段】ホッパー装置５の貯留部５１の上方に、駆動装置６１の駆動により水平方向に回転可能であるとともに、開口部５１Ａを塞ぎ貯留部５１からのメダルの取り出しを不能とするものの、開口部５１Ａから受け入れたメダルを、メダルが通過可能な通過間隙を通して貯留部５１に落下させることが可能な回転蓋７０を設け、貯留部５１へのメダルの補給時に駆動装置６１を駆動させて回転蓋７０を回転可能とした。【選択図】図３
2011050671.tif 000002
【特許請求の範囲】
【請求項１】
上方からメダルを受け入れ可能な開口部を有しメダルを貯留可能な貯留部と、複数のメダル孔を有し前記貯留部に貯留されているメダルを排出する回転ディスクと、前記回転ディスクを回転させるための駆動装置とを少なくとも備え、遊技機の制御装置からの払い出し指令信号に基づいて前記駆動装置が駆動し、前記回転ディスクの回転に伴い前記メダル孔に嵌入しているメダルを１枚ずつ払い出すようにしたホッパー装置において、
前記貯留部の上方に、前記駆動装置の駆動により水平方向に回転可能であるとともに、前記開口部を塞ぎ前記貯留部からのメダルの取り出しを不能とするものの、前記開口部から受け入れたメダルを、メダルが通過可能な通過間隙を通して前記貯留部に落下させることが可能な回転蓋を設け、
前記貯留部にメダルを補給する際に前記駆動装置を駆動させることができるように形成し、メダル補給時に前記回転蓋を回転可能としたことを特徴とするホッパー装置。
【請求項２】
前記制御装置からの払い出し指令信号によらず前記駆動装置を駆動させるための駆動スイッチを設け、前記駆動装置の駆動時であっても前記回転ディスクからメダルを排出させないための払い出し禁止装置を設け、
前記払い出し指令信号を受信していない場合において前記駆動スイッチがＯＮとなることにより、前記駆動装置が駆動するとともに前記払い出し禁止装置が作動して、メダルを払い出すことなく前記回転蓋を回転可能に形成したことを特徴とする請求項１記載のホッパー装置。
【請求項３】
前記通過間隙は、前記回転蓋に形成されたメダルが通過可能な貫通溝であることを特徴とする請求項１又は２記載のホッパー装置。
【請求項４】
前記回転蓋は、上側に頂点を有する円錐形に形成され、
前記通過間隙は、前記回転蓋の底部周縁と前記開口部との間に形成されるメダルが通過可能な空間部であることを特徴とする請求項１乃至３のいずれか１項に記載のホッパー装置。
【発明の詳細な説明】
【技術分野】
【０００１】
この発明は、遊技メダルを払い出すとともに貯留するためのホッパー装置に関するものである。
【背景技術】
【０００２】
例えばスロットマシンなどの遊技機に用いられるホッパー装置は、上側に形成された開口部からメダルなどの遊技媒体を投入可能に形成されており、遊技機に投入されたメダルや補給のためのメダルを受け入れやすい半面、遊技機の前扉を開放すれば、貯留されているメダルを容易に掴み取ることができ、不正にメダルを抜き取る行為に対して無防備であった。このような不正行為を防止するため、ホッパー装置の貯留部に蓋をするということが考えられる。
ここで、本願の技術に関係する従来技術として、特許文献１に示すように、遊技媒体収納器に遊技媒体が通過可能な開口部を備えた蓋を設け、容器内から遊技媒体が零れず、かつ蓋の上から遊技媒体を容器に投入できるようにしたものがある。
【先行技術文献】
【特許文献】
【０００３】
【特許文献１】特開平１０−１１８３２５号公報
【発明の概要】
【発明が解決しようとする課題】
【０００４】
しかし、ホッパー装置の貯留部に蓋を設けると、ゴト防止という観点からは有効であるものの、メダルを補給する際に蓋を外す手間がかかるという問題点がある。
そこで本願発明は、貯留部からメダルを抜き取る不正行為を防止できるとともに、メダル補給時においても効率的に補給作業が行えるホッパー装置を提供することを目的とする。
【課題を解決するための手段】
【０００５】
本願発明の特徴点を、図面に示した発明の実施の形態を用いて、以下に説明する。
なお、括弧内の符号及び図面番号は、発明の実施の形態において用いた符号及び番号を示し、本願発明の技術的範囲を限定するものではない。
（特徴点）
（請求項１）
請求項１記載の発明は、上方からメダルを受け入れ可能な開口部（上部開口50A、開口部54A）を有しメダルを貯留可能な貯留部（メダル貯留部51）と、複数のメダル孔(53)を有し前記貯留部(51)に貯留されているメダルを排出する回転ディスク(52)と、前記回転ディスク(52)を回転させるための駆動装置（ホッパーモータ61）とを少なくとも備え、遊技機（スロットマシンＳ）の制御装置からの払い出し指令信号に基づいて前記駆動装置(61)が駆動し、前記回転ディスク(62)の回転に伴い前記メダル孔(63)に嵌入しているメダルを１枚ずつ払い出すようにしたホッパー装置（ホッパーユニット５）に係る。
【０００６】
そして、このホッパー装置(5)には、前記貯留部(51)の上方に、前記駆動装置(61)の駆動により水平方向に回転可能であるとともに、前記開口部(50A,54A)を塞ぎ前記貯留部(51)からのメダルの取り出しを不能とするものの、前記開口部(50A,54A)から受け入れたメダルを、メダルが通過可能な通過間隙を通して前記貯留部(70)に落下させることが可能な回転蓋(70)を設け、前記貯留部(51)にメダルを補給する際に前記駆動装置(61)を駆動させることができるように形成し、メダル補給時に前記回転蓋(70)を回転可能としたことを特徴とする。
本発明に係るホッパー装置(5)は、入賞によりメダルを払い出す遊技機に用いられるものである。ホッパー装置(5)は、遊技を行うために投入されたメダルを受け入れて貯留可能であってもよい。
【０００７】
ここで、「遊技機の制御装置からの払い出し指令信号」には、遊技中において入賞時に、当該入賞に応じた枚数のメダルを払い出させるための指令信号の他、遊技終了時に精算スイッチ(44)が操作された場合に、クレジットとして貯留されているメダルを払い出させるための指令信号が含まれる。
前記回転蓋(70)は、例えば円盤状の蓋体であって、貯留部(51)が方形箱形である場合には、方形の開口部(51A)と円形の回転蓋(70)との間を塞ぐ塞ぎ部材（塞ぎ枠54）を設けてもよい。そして、この塞ぎ部材に設けられた開口部(54A)からメダルを受け入れるようにしてもよい。
【０００８】
前記「通過間隙」は、回転蓋(70)に設けられていてもよいし、開口部(50A,54A)と回転蓋(70)の間に設けられていてもよいし、その双方に設けられていてもよい。いずれの場合も、通過間隙から人が手を入れて貯留部(51)内のメダルを取り出すことができないようになっていればよい。
また、「メダルを補給する際に前記駆動装置(61)を駆動させることができる」とは、遊技機の制御装置から、入賞や精算スイッチの操作に基づく払い出し指令信号が出力されていない場合でも、例えば所定の操作（エラー解除のためのリセットスイッチの操作や駆動装置を駆動させるためのスイッチの操作）を行うことにより、遊技機の制御装置から払い出し指令信号が出力されて駆動装置(61)が駆動し、あるいは払い出し指令信号が出力されなくても駆動装置(61)が駆動するように形成されていることである。なお、本発明においては、「メダル補給時」とは、開口部(50A,54A)にメダルを投入している最中に限られず、メダルを投入し終えた後、遊技を開始させるまでの間も含まれる。
【０００９】
本発明によれば、貯留部(51)の開口部(50A,54A)が回転蓋(70)によって塞がれているため、開口部(50A,54A)からメダルを取り出すことは非常に困難になる。その一方、上方から投入されるメダルは通過間隙を通って下方に落下可能であるため、遊技機に投入されたメダルや補給メダルを貯留部(51)に貯留することができる。
そして、貯留部(51)にメダルを補給する場合には、駆動装置(61)が駆動して回転蓋(70)が回転する。ここで、通過間隙が開口部(50A,54A)と回転蓋(70)の間に設けられている場合には、回転により生じる遠心力によってメダルが通過間隙に誘導され、あるいは通過間隙が回転蓋(70)に設けられている場合には、回転によって回転蓋(70)の上面のメダルが攪拌されて通過間隙に入りやすく（メダルが水平状態で滞留しなく）なり、効率よくメダルを補給することができる。
【００１０】
（請求項２）
請求項２記載の発明は、上記した請求項１記載の発明の特徴点に加え、前記制御装置からの払い出し指令信号によらず前記駆動装置(61)を駆動させるための駆動スイッチ(81)を設け、前記駆動装置(61)の駆動時であっても前記回転ディスク(63)からメダルを排出させないための払い出し禁止装置を設け、前記払い出し指令信号を受信していない場合において前記駆動スイッチ(81)がＯＮとなることにより、前記駆動装置(61)が駆動するとともに前記払い出し禁止装置が作動して、メダルを払い出すことなく前記回転蓋(70)を回転可能に形成したことを特徴とする。
【００１１】
ここで、「制御装置からの払い出し指令信号によらず前記駆動装置(61)を駆動させる」とは、入賞による払い出しや、精算スイッチによる払い出しのとき以外でも、駆動装置(61)を、任意に駆動可能とすることである。
前記「駆動スイッチ」は、人が操作することにより駆動信号を出力可能な操作スイッチであってもよいし、所定の状態（例えば遊技機の前扉開放や開口部(50A,54A)へのメダル投入）を検知して駆動信号を出力可能なセンサであってもよい。また、「駆動スイッチ」は、ホッパー装置(5)に設けてもよいし、このホッパー装置(5)を備えた遊技機のいずれかの場所に設けてもよい。
【００１２】
また、「払い出し禁止装置」の具体的構成としては、例えば、駆動スイッチ(81)の操作時に、回転ディスク(62)のメダル孔(63)に嵌入しているメダルをメダル排出方向に進路変更させるための突起（ストッパー67）を没入させて、メダルをメダル排出方向に進路変更させないようにするものや、駆動軸(61A)と回転ディスク(62)の連結部にワンウェイクラッチを設け、駆動スイッチ(81)の操作時に駆動装置(61)を逆転させて回転ディスク(62)が回転しないようにしたものとすることができる。
本発明によれば、メダルの補給時に、駆動装置(61)の駆動に伴い貯留部からメダルが払い出されるという不都合を回避することができる。
【００１３】
（請求項３）
請求項３記載の発明は、上記した請求項１又は２記載の発明の特徴点に加え、前記通過間隙は、前記回転蓋(70)に形成されたメダルが通過可能な貫通溝（スリット76）であることを特徴とする。
本発明は、通過間隙を回転蓋(70)に設けたものである。
本発明における回転蓋(70)の形状は、円板形であってもよいし、円錐形であってもよい。貫通溝(76)は、回転蓋(70)の上面に落下したメダルが水平状態（メダルの表裏面が上下方向となる状態。以下同じ）であっても垂直状態（メダルの円周部が上下方向となる状態。以下同じ）であっても、貫通溝(76)を通って貯留部(51)に落下可能となるように形成するのが好ましい。
【００１４】
（請求項４）
請求項４記載の発明は、上記した請求項１乃至３のいずれか１項に記載の発明の特徴点に加え、前記回転蓋(70)は、上側に頂点を有する円錐形に形成され、前記通過間隙は、前記回転蓋(70)の底部周縁と前記開口部(54A)との間に形成されるメダルが通過可能な空間部であることを特徴とする。
ここで、「空間部」は、開口部(50A,54A)よりも小径の回転蓋(70)の周縁部側面と、開口部(50A,54A)の内周面との間の隙間でもよいし、開口部(50A,54A)よりも大径の回転蓋(70)の周縁部上面又は下面と、開口部(50A,54A)の周囲の下側又は上側との隙間であってもよい。
【発明の効果】
【００１５】
本願発明によれば、貯留部からメダルを抜き取る不正行為を防止できるとともに、メダル補給時においても効率的に補給作業が行えるホッパー装置を提供することができる。
【図面の簡単な説明】
【００１６】
【図１】本発明の第一の実施の形態であって、スロットマシンの外観斜視図である。
【図２】前扉を開いたスロットマシンの斜視図である。
【図３】ホッパーユニットの平面図及び正面図である。
【図４】図３のIV−IV線断面図である。
【図５】図４のＶ−Ｖ線断面図である。
【図６】回転蓋と塞ぎ枠の斜視図である。
【図７】図３のVII−VII線断面図である。
【図８】遊技機及びホッパー制御装置の入出力を示すブロック図である。
【図９】本発明の第二の実施の形態であって、回転蓋を示す平面図及び斜視図である。
【図１０】図９のＸ−Ｘ線拡大断面図である。
【図１１】第二の実施の形態に係る回転蓋の縦断面図である。
【図１２】第二の実施の形態に係る回転蓋の変形例を示す平面図及び斜視図である。
【図１３】第二の実施の形態の変形例に係る回転蓋の縦断面図である。
【発明を実施するための形態】
【００１７】
本発明の好適な実施の形態を、遊技機としてスロットマシンを例に、第一及び第二の実施の形態に分けて、図面に基づき説明する。
（第一の実施の形態）
（スロットマシンＳ）
スロットマシンＳは、図１及び図２に示すように、大きく分けて、正面側に開口部10を有する筐体１と、筐体１内部に設けられるリールユニット２と、筐体１の開口部10を開閉可能に塞ぐ前扉３とから構成されている。
（筐体１）
筐体１は、図２に示すように、天板11、底板13及び側板14及び裏板からなる正面側に開口する箱であり、高さ方向略中央部には、二つの側板14の間に水平方向に中板12が設けられている。この中板12により上下に仕切られた開口部10の空間のうち、上側の開口上部10Aには、リールユニット２と、制御装置６とが収納されている。また、前記中板12により上下に仕切られた開口部10の空間のうち、下側の開口下部10Bには、電源ユニット４及びホッパーユニット５が載置されている。
【００１８】
前記リールユニット２は、周囲に複数の図柄（図示せず）を表示した３個の回転リール20と、各回転リール20をそれぞれ回転させるためのリールモータ（図８参照）を有している。
また、制御装置６は、遊技及びスロットマシンの作動を制御するためのものであり、ＣＰＵ、ＲＯＭ、ＲＡＭ、Ｉ／Ｏ等、種々の電子部品を搭載したプリント基板を、基板ケースに収納したものである。
前記電源ユニット４は、スロットマシンＳの主電源のＯＮ／ＯＦＦの切り替えをするためのものである。ホッパーユニット５は、メダルを貯留するとともに払い出すためのものである。ホッパーユニット５の詳細については後述する。
【００１９】
（前扉３）
前扉３は、筐体１に回動自在かつロック可能に形成されている板状の扉であり、図１に示すように、高さ方向中央部にカウンター状の操作部40を有し、操作部40の正面右側端部には、メダルを投入するためのメダル投入口33が設けられている。また、操作部40の上側には上パネル30、操作部40の下側には下パネル34が、それぞれ設けられている。さらに、下パネル34の下方には、入賞等によるメダルが払い出されるメダル払い出し口36と、メダル払い出し口36から払い出されたメダルを貯留可能な下皿35が形成されている。そして、前記メダル投入口33の下方には鍵穴3Aが設けられており、所定の鍵を差し込むことによりロックが解除され、前扉３を開放できるようになっている。
【００２０】
前扉３には、前記上パネル30の略中央部に、回転リール20の図柄を正面側から視認可能な図柄表示窓31が形成されているとともに、遊技に付随する演出をはじめとする種々の表示を行うための表示装置32が設けられている。表示装置32としては、図１に示すように、上パネル30の周囲に装飾ランプ32Aが、前記図柄表示窓31の上側には液晶表示装置を用いた画像表示部32Bが設けられており、図２に示すように、前扉３の裏面上部には、音声を出力するためのスピーカ32Cが設けられている。
前記操作部40としては、図１に示すように、クレジットを減じてメダル投入に代えるためのベットスイッチ41、回転リール20の回転を開始させるためのスタートスイッチ42、回転リール20の回転を停止させるためのストップスイッチ43、クレジットメダルを払い戻すための精算スイッチ44が設けられている。ここで、クレジットとは、遊技に必要な投入メダルをあらかじめ内部（ホッパーユニット５）に貯留しておくことであり、スロットマシンＳは、最大５０枚までクレジット可能に形成されている。
【００２１】
さらに、図２に示すように、前扉３の裏面中央には、前記メダル投入口33から投入されたメダルを誘導しながらメダルの真贋を判断するとともに投入メダルをカウントするためのメダルセレクター38が設けられている。また、前扉３の裏面中央から下部にかけて、上方が開口し下端部がメダル払い出し口36と連通する角筒状のメダル通路39が設けられている。
前記メダルセレクター38は、特に図示しないが、メダルが一枚ずつ通過可能なメダル誘導路を有し、メダル誘導路には通過メダルを検知するための投入センサ380（図８参照）が設けられている。そして、直径や厚みの異なる正規のものでないメダルが投入された場合や、スロットマシンＳがメダル受付状態でない場合（例えばクレジットが５０の場合や、回転リール20の回転中など）には、所定のキャンセル装置を作動させて投入されたメダル誘導路から排除し、キャンセルされないメダルが前記投入センサ380により検知されてカウントされるようになっている。
【００２２】
投入センサ380を通過したメダルは、メダルセレクター38の側方に設けられたメダルシュート38Aを通って後述するホッパーユニット５に移送される。一方、メダルセレクター38でキャンセルされたメダルは、メダルセレクター38の下方に落下し、メダル通路39の上部メダル受け口39Aからメダル通路39を通って、メダル払い出し口36に誘導される。
なお、メダル通路39の下方には、背面側（前扉３の裏面側）に開口する下部メダル受け口39Bが形成されており、ホッパーユニット５のメダル排出口53から排出されるメダルを受け入れ、メダル払い出し口36に誘導可能に形成されている。
（制御装置６）
ここで、制御装置６について説明する。
【００２３】
制御装置６は、ＣＰＵがＲＯＭに記憶されたプログラムを読み込むことで、図８に示すように、遊技制御装置6A、ホッパー制御装置6B、演出制御装置6Cとして機能する。
遊技制御装置6Aは、当選か否かの当選判定の抽選を行うとともに、回転リール20の回転及び停止を制御するためのものである。遊技制御装置6Aの入力側には、投入センサ380、ベットスイッチ41、スタートスイッチ42、ストップスイッチ43、精算スイッチ44が接続されており、遊技制御装置6Aの出力側には、リールモータが接続されている。
そして、スロットマシンＳは、メダルの投入又はベットスイッチ41の操作によりスタートスイッチ42が操作可能となり、スタートスイッチ42の押下によって、回転リール20が回転開始する。なお、スタートスイッチ42の操作時に、当選抽選手段（図示せず）によって当選判定の抽選が行われる。
【００２４】
当選には、入賞によりメダルを払い出す小役当選と、入賞によるメダルの払い出しは無いが、次遊技をメダル投入なしで行うことができる再遊技当選と、入賞によりボーナスゲームが開始される特別当選とがある。当選判定の抽選は、乱数発生手段の発生する乱数を乱数取得手段が取得し、当該取得乱数値と、乱数発生手段の発生する乱数値を全領域として各当選領域を規定した当選判定テーブルとを比較することにより行われる。
そして、当選判定の抽選の結果、所定の当選役が当選した当選に係る遊技では、ストップスイッチ43の操作により停止する回転リール20の停止図柄が、極力、当該当選に係る入賞の態様に揃うように、回転リール20の停止が制御される。一方、当選判定の抽選結果がはずれの場合には、停止図柄がいかなる入賞の態様にも揃わないように、回転リール20の停止が制御される。
【００２５】
前記当選に係る遊技において、ストップスイッチ43の操作により、当選図柄を入賞の態様に停止させることができた場合、例えば当選図柄が所定の入賞ラインに揃うように各回転リール20を停止させることができた場合には入賞となり、メダルの払い出しやボーナスゲームへの移行が行われる。メダルの払い出しを伴う役が入賞した場合には、遊技制御装置6Aからホッパー制御装置6Bに払い出し指令信号が出力される。当選に係る遊技であっても、ストップスイッチ43の操作により、当選図柄を入賞の態様に停止させることができなかった場合には、メダルの払い出しやボーナスゲームへの移行は行われない。
ホッパー制御装置6Bは、ホッパーモータ61の駆動を制御するためのものである。ホッパー制御装置6Bの入力側には、図８に示すように、精算スイッチ44、払い出しセンサ92、駆動スイッチ81が接続されており、ホッパー制御装置6Bの出力側には、ホッパーモータ61とソレノイド82が接続されている。そして、ホッパー制御装置6Bは、遊技制御装置6Aからの払い出し指令信号を受信した場合には、ホッパーモータ61を駆動させ、払い出しセンサ92からの検知信号をカウントしつつ、払い出し指令に係る枚数のメダルを払い出させる。また、精算スイッチ44の操作信号を受信した場合には、クレジットとして貯留されている枚数のメダルを払い出させる。なお、駆動スイッチ81及びソレノイド82については後述する。
【００２６】
演出制御装置6Cは、遊技制御装置6Aからの信号を受信して、ランプ32Aやスピーカ32C等の表示装置32を制御するためのものである。
なお、制御装置６を、主制御装置（いわゆるメイン基板）と、主制御装置からの信号を受信して作動する副制御装置（いわゆるサブ基板）とから構成し、前記遊技制御装置6A及びホッパー制御装置6Bを主制御装置に、前記演出制御装置6Cを副制御装置に配置することができる。このように、遊技を司る制御装置と演出を司る制御装置を別個に形成することにより、演出制御に当てられるメモリを大幅に増やすことができると共に、演出のみを変更することもできる。また、ホッパー制御装置6Bを副制御装置に配置してもよい。
【００２７】
（ホッパーユニット５）
次に、ホッパーユニット５について、図３乃至図７に基づき詳述する。
ホッパーユニット５は、図３に示すように、外装箱50と、外装箱50に組み込まれたメダル送り装置60を備えている。また、外装箱50の内部には、上下に連通する開口部54A（図６参照）を有する仕切り枠54と、この仕切り枠54の開口部54Aを塞ぐとともに、メダル送り装置60の駆動部と連結された回転蓋70とが設けられている。さらに、ホッパーユニット５は、メダルの補給時に操作することにより、補給メダルを外装箱内に効率よく投入可能とするための補給補助手段80を備えている。
【００２８】
（外装箱50）
外装箱50は、上方が開口する略方形の中空箱であって、メダル送り装置60を支持するとともにメダルを貯留するためのものである。外装箱50の高さ方向略中央部には、外装箱50の内部空間を上下に仕切るベース板52（図５参照）が設けられており、ベース板52にはメダル送り装置60が固定されている。メダル送り装置60は、メダルを一枚ずつ送り出すための回転ディスク62がベース板52の上側に配置され、回転ディスク62を回転させるためのホッパーモータ61がベース板52の下側に配置されている。また、ベース板52の下側には、図５に示すように、メダル送り装置60から送り出されるメダルをカウントするための払い出し検知部90が設けられている。ここで、払い出し検知部90は、メダルの通過に伴って揺動するカウントアーム91とカウントアーム91の位置移動を検知する払い出しセンサ92を備え、払い出しセンサ92の検知信号は遊技制御装置6Aに出力されるようになっている。
【００２９】
ベース板52によって仕切られた外装箱50の上方空間は、メダルを貯留するためのメダル貯留部51になっている。すなわち、メダル貯留部51の底部に回転ディスク62が位置するようになっている。そして、ホッパーユニット５を筐体１に設置したとき正面側となる外装箱50の表面には、前記メダル送り装置60から送り出されたメダルを外装箱50の外部に排出するためのメダル排出口53が形成されている。メダル排出口53から排出されたメダルは、前扉３のメダル通路39（図２参照）を経て、メダル払い出し口36（図１参照）に払い出される。
さらに、外装箱50の上部開口50Aの上端部からやや下方には、仕切り枠54が設けられている。仕切り枠54は、図６に示すように、上下に貫通する円形の開口部54Aを有する方形の枠体であり、その上面は、枠外周から開口部54Aの周縁部に向かって下り傾斜する傾斜部54Bとなっている。そして、仕切り枠54の開口部54Aは、回転蓋70によって塞がれているものの、上方から投入されたメダルをメダル貯留部51に誘導可能となっているのであるが、これについては後述する。
【００３０】
なお、特に図示しないが、外装箱50の側方であって仕切り枠54よりも下側には、メダル貯留部51に貯留されたメダルが一定以上の高さまで達した場合に、ホッパーユニット５に隣接して設置されているオーバーフロータンクにメダルを誘導するための排出通路が設けられている。
（メダル送り装置60）
メダル送り装置60は、図４及び図５に示すように、複数のメダル孔63を有する回転ディスク62と、回転ディスク62を支持するための基体66と、回転ディスク62を回転させるためのホッパーモータ61とを備え、回転ディスク62が回転することにより、メダル孔63に嵌ったメダルがメダル排出部53から一枚ずつ排出されるように形成されている。
【００３１】
前記ホッパーモータ61は、ベース板52の下面に固定された駆動装置であって、図５に示すように、角柱状に形成された駆動軸61Aがベース板52から上側に突出している。ホッパーモータ61は、後述するホッパー制御装置6Bの制御に基づき、払い出しを伴う入賞の場合や、精算スイッチ44が押下されたとき、及び補給補助手段80としての駆動スイッチ81が操作された場合に駆動する。
前記回転ディスク62は、図４に示すように、複数のメダル孔63を有する円盤状の部材であり、図５に示すように、裏面中央に突設された固定部62Bの角穴に駆動軸61Aを固定することによって、水平方向に回転可能に形成されている。また、回転ディスク62の裏面には、外周壁62Aの内側及び外周壁62Aと前記固定部62Bの間に、係合突起64が設けられている。そして、外周壁62Aには、メダル一枚が水平状態で通過可能な高さを有する側面スリット65が形成されている。
【００３２】
前記メダル孔63は、図４に示すように、メダル一枚の直径よりも僅かに大きい内径を有する丸孔であって、メダル貯留部51に貯留されているメダルが水平状態に一列に重なって嵌り込むようになっている。
前記係合突起64は、回転ディスク62の底面から下方に突出して形成された突起であり、回転ディスク62を基体66に取り付けたときに後述する係合溝66A,66Bに係合するものである。係合突起64としては、外周壁62Aの下端部から外周壁62Aの内周にわたって内側に張り出すフランジ状の外周突起64Aと、前記メダル孔63の相対向する内壁から垂下させた垂下壁63Bを水平方向に繋いで形成した板状の孔突起64Bとが設けられている。前記外周突起64Aは、回転ディスク62を平面視したとき（図４参照）メダル孔63の開口部から一部が視認可能となる幅を有しており、外周突起64Aの一部と孔突起64Bによってメダル孔63の開口部下側の一部が塞がれている。
【００３３】
さらに、図５に示すように、メダル孔63の開口下縁部と係合突起64の上面との間には、メダルの厚さ寸法よりもやや大きい高さ寸法の隙間が形成されており、メダル孔63に嵌入したメダルのうち最下部に位置しているメダルが、係合突起64の上面に乗った状態で前記垂下壁63Bに係止されつつ回転ディスク62の回転とともに位置移動できるようになっている。なお、最下部のメダルの上に重なっているメダルは、メダル孔63の内壁に嵌って回転ディスク62の回転とともに位置移動可能である。
前記側面スリット65は、メダル孔63の最下部にあるメダル、すなわち前記係合突起64の上面に乗っているメダルを、後述する基体66の排出凹部68に排出させるための開口部であり、下縁部が係合突起64の上面と面一となるよう形成されている。また、側面スリット65は、図４に示すように、メダル孔63と隣接するメダル孔63の間に位置するように形成されている。
【００３４】
回転ディスク62は、図４に示すように、駆動モータ61の駆動軸61Aに取り付けられ、以下に述べる基体66に支持された状態で、環状のホルダーリング69を外周部に取り付けることにより外装箱50に固定される。
前記基体66は、前記回転ディスク62を支持するための方形板状の部材であり、図５に示すように、外装箱50のベース板52の上面に固定されている。基体66には、中央部に円形の開口部が形成されており、この開口部の下側からホッパーモータ61の駆動軸61Aが突出可能であるとともに、開口部の上側からは回転ディスク62の固定部62Bを嵌入可能に形成されている。
【００３５】
また、基体66の上面には、前記回転ディスク62の外周突起64A及び孔突起64Bがそれぞれ係合可能な円形の係合溝66A,66Bが形成されている。そして、図４に示すように、係合溝66Aの外周円の内側（中心側）においては係合突起64の上面と基体66の上面が面一となり、係合溝66Aの外周円の外側においては基体66の上面が回転ディスク62の側面スリット65よりも上側となるよう形成されている。従って、メダル孔63に嵌った最下部のメダルは、係合突起64及び基体66の上面を、側面スリット65から外側にはみ出すことなく、回転ディスク62の回転に伴って滑るように移動することができるようになっている。
そして、基体66の正面側（図４において下側）右端部には、回転ディスク62を取り付けたとき係合突起64の上面と同じ高さとなるよう係合溝66Aの外周円の外側の上面を切り欠いた排出凹部68が形成されている（図４、図５参照）。排出凹部68における回転ディスク62との境界部分は、回転ディスク62の側面スリット65を外側から塞いでいる係合溝66Aの立壁が無いため、メダル孔63の中のメダルが側面スリット65から外側に移動可能である。この段差部分の側面スリット65の近傍が、回転ディスク62からメダルを排出するためのメダル出口68Aとなっている。排出凹部68は、側面スリット65から排出されたメダルを、ホッパーユニット５のメダル排出部53に誘導するための通路としての機能を果たすものでもある。
【００３６】
さらに、図４に示すように、前記排出凹部68の近傍であって係合溝66Aの外周円の内側には、基体66の上面から上方に突出（図５参照）する円柱形のストッパー67が設けられている。ストッパー67は、係合溝66Bを挟んで二つ設けられており、その高さは、メダル一枚の厚さ寸法よりも高く、基体66の上面からメダル孔63の開口下縁部までの高さよりも低く形成されている。従って、ストッパー67は、回転ディスク62の回転を阻害することがない。一方、回転ディスク62が図４に示す黒矢印方向に回転すると、メダル孔63に嵌って回転ディスク62に伴って移動してきたメダルについて、回転方向への進行を阻止することができる。このストッパー67により進行を阻まれたメダルは、垂下壁63Bに押されて側面スリット65からメダル出口68Aへとはじき出される。この際、カウントアーム91が揺動して払い出しセンサ92がメダルの払い出しを検知する。
【００３７】
なお、上記したストッパー67は、補給補助手段80としてのソレノイド82の作動によって、メダル孔63に保持されているメダルの回転方向への移動を妨げない位置まで没入可能に形成されているものであるが、これについては後述する。
（回転蓋70）
回転蓋70は、仕切り枠54の開口部54Aを塞ぐと同時に、上方から投入されたメダルを開口部54Aを通してメダル貯留部51に誘導する蓋体であり、連結軸71によって、メダル送り装置60のホッパーモータ61の駆動軸61Aと連結されているものである。ここで、本実施の形態においては、回転蓋70として、円錐蓋72を設けてある。
【００３８】
円錐蓋72は、図６及び図７に示すように、仕切り枠54の開口部54Aの直径よりもやや大きい外径を有する平たい円錐形に形成されている。そして、円錐蓋72は、蓋本体と、開口部54Aとの間に、メダルが通過するのに必要十分な間隙を開けて配置される。
具体的には、図７（Ａ）に示すように、円錐蓋72の底面が仕切り枠54の傾斜部54Bよりも上側に位置するように配置することができる。このように配置した場合には、外装箱50の上部開口50Aから投入されたメダル（メダルセレクター38から移送されるメダル及び補給されるメダルの双方を含む）は、円錐蓋72の円錐形の上面に添って周縁部に滑落し、円錐蓋72の周縁部からさらに傾斜部54Bに落下し、円錐蓋72の底面と傾斜部54Bとの間の空間部を通って、メダル貯留部51へと誘導される。
【００３９】
あるいは、図７（Ｂ）に示すように、円錐蓋72の周縁部が仕切り枠54の底面よりも下側に位置するように配置してもよい。このように配置した場合には、上方から投入されたメダルは、円錐蓋72の上面と仕切り枠54の底面との間の空間部を通って周縁部からメダル貯留部51から落下し、あるいは傾斜部54Bを開口部54Aに向かって滑落した後、円錐蓋72の上面に落下してメダル貯留部51に誘導される。
上記したいずれの場合も、円錐蓋72は開口部54Aと垂直方向に重なって、開口部54Aを塞いでいるので、開口部54Aの上方から手を入れてメダル貯留部51のメダルを取り出すことはできない。
【００４０】
さらに、円錐蓋72は、補給補助手段80としての駆動スイッチ81が操作された場合には、メダル送り装置60のホッパーモータ61の駆動に伴い、回転ディスク62と同じ方向に回転するようになっている。円錐蓋72が回転することにより、上部開口50Aから大量にメダルを投入した場合でも、円錐蓋72の上面のメダルは遠心力によって周縁部に移動し、円錐蓋72の上面に留まることなく、効率よくメダル貯留部51に誘導することができる。
なお、本実施の形態では、回転蓋70がホッパーモータ61の駆動軸61Aに直接連結されているが、回転蓋70は、ホッパーモータ61の駆動によって回転可能となっていれば、必ずしも駆動軸61Aと連結されていなくてもよい。例えば、駆動軸61Aと回転蓋70の間に歯車やベルトなどの連結手段が介在していてもよい。
【００４１】
（補給補助手段80）
補給補助手段80は、メダル補給時に、ホッパーユニット５の作動をメダル補給に適した状態にするための手段であって、本実施の形態においては、入賞によるメダル払い出しや精算スイッチ44によらずにホッパーモータ61を駆動させるための駆動スイッチ81と、ストッパー67を出没させるためのソレノイド82が設けられている。
駆動スイッチ81は、図２に示すように、ホッパーユニット５の外装箱50に設けられた操作スイッチであって、スイッチＯＮ状態にすることにより、ホッパーモータ61が駆動するとともに、ソレノイド82が作動してストッパー67を没入状態とさせるものである。ストッパー67は、メダル送り装置60の基部66の表面とほぼ面一となる高さまで没入し、メダル孔63に嵌っているメダルと干渉しなくなる。これにより、ホッパーモータ61の駆動によって回転ディスク62が回転しても、メダルは側面スリット65から排出されず、ホッパーユニット５からメダルが払い出されることがない。そして、駆動スイッチ81をＯＦＦにすると、ホッパーモータ61は駆動を停止し、ソレノイド82も非作動となって、ストッパー67は突出状態に戻るようになっている。
【００４２】
（回転蓋70の作動）
次に、上記構成を有するスロットマシンＳの、遊技時及びホッパーユニット５へのメダル補給時におけるメダル送り装置60及び回転蓋70としての円錐蓋72の作動について説明する。
まず、通常時（メダル補給時でないとき）においては、遊技に伴いメダル投入口33から投入されたメダルが、メダルセレクター38を経てメダルシュート38Aから外装箱50の上部開口50Aに落下してくる。このとき円錐蓋72は回転していないが、円錐蓋72の上面に落ちたメダルは、塞ぎ枠54の傾斜部54B又は円錐蓋72の円錐の斜面を滑落して、開口部54Aからメダル貯留部51に誘導される。そして、入賞によりメダルが払い出される場合には、円錐蓋72も回転ディスク62と一緒に回転するので、円錐蓋72の上面にメダルが残っていても、振り落とされてメダル貯留部51に落下する。従って、遊技中に、不正に前扉３を開いて、ホッパーユニット５からメダルを取り出そうとしても、円錐蓋72が邪魔をしてメダル貯留部51のメダルには手を付けられないとともに、円錐蓋72の上面にはほとんどメダルが乗っていないので、メダルを抜き取られるとしても最小限に抑えることができる。
【００４３】
一方、メダル貯留部51にメダルを補給する際には、上部開口50Aからメダルを投入し、駆動スイッチ81をＯＮにする。すると、ホッパーモータ61が駆動して、回転ディスク62と円錐蓋72が同時に回転し、円錐蓋72が回転することにより、より効率よくメダルをメダル貯留部51に誘導することができる。また、このときには、ストッパー67が没入状態となるので、回転ディスク62が回転してもメダルが払い出されるという不都合がない。補給を終えたら駆動スイッチ81をＯＦＦにして、ホッパーモータ61を停止させる。
なお、上記した実施の形態では、ホッパーユニット５の外装箱50が角筒形であり、回転蓋70が円形であることから、塞ぎ枠54を設けてあるが、外装箱50の少なくとも上部開口50Aの部分を円筒形に形成した場合には、塞ぎ枠54を設けなくてもよい。そして、回転蓋70として円錐蓋72を用いる場合には、円筒形の外装箱50の内周よりも小径の円錐蓋72を、その頂点が外装箱50の上端から突出しない高さとなるように、開口上部50Aに配置する。そして、円錐蓋72の周縁部と外装箱50の内周との間に、メダルが通過可能な間隙を設けておくことにより、上方から投入されたメダルを、その間隙からメダル貯留部51に落下させることができる。隙間は、メダルは通過可能であるものの、人が手を入れてメダル貯留部51からメダルを取り出すことはできない。
【００４４】
（回転蓋70の作動の他の例）
上記した実施の形態では、駆動スイッチ81の操作によってメダル送り装置60のホッパーモータ61をメダル払い出し方向と同方向に回転させるように形成してあったが、駆動スイッチ81の操作によってホッパーモータ61をメダル払い出し方向と逆方向に回転させるように形成してもよい。
この場合、ホッパーモータ61の駆動軸61Aと回転ディスク62との連結部分に、補給補助手段80として、ワンウェイクラッチを設けると好適である。具体的には、ホッパーモータ61がメダル払い出し方向と逆方向に回転する場合には、駆動軸61Aが回転ディスク62に回転力を伝達しないようにするものである。このように形成すれば、駆動スイッチ81の操作によってホッパーモータ61を逆転駆動させる場合には、駆動軸61Aと連結された連結軸71は回転するものの、回転ディスク62は回転せず、メダルが払い出されることがない。一方、ホッパーモータ61がメダル払い出し方向に回転する場合には、回転ディスク62と連結軸71は同方向に回転する。そして、メダル送り装置60を上記したように形成すれば、ストッパー67を出没作動させる必要はない。
【００４５】
（駆動スイッチ81の他の例）
駆動スイッチ81は、ホッパーユニット５以外の、筐体内部の別の場所に設けてもよい。例えば、前扉３の鍵穴3Aに所定の鍵を挿入して解錠方向と逆方向に回転させるとＯＮになるスイッチを設けてもよい。いずれにしても、一般の遊技者が容易に触れられない場所に設けられていればよい。
さらに、駆動スイッチ81は、人が操作可能な操作スイッチに限られない。例えば、スロットマシンＳの前扉３が開放されたことを検知するセンサを設け、このセンサが前扉３の開放を検知した場合にホッパーモータ61が駆動するように形成することができる。このように形成した場合には、前扉３を開くと回転蓋70が回転して上に乗っているメダルがメダル貯留部51に落ちるようになることから、扉を開けてのホッパーゴト防止に効果的である。
【００４６】
あるいは、外装箱50の上部開口50Aにメダルが投入されるとセンサが反応して、一定時間又は一定回転、ホッパーモータ61が駆動するように形成してもよい。このように形成した場合には、遊技中にメダルが投入される度に回転蓋70が回転して、回転蓋70の上に乗っているメダルを振り落とすようにすることができる。また、上部開口50Aからメダルを補給する際には、センサがメダルを検知し続けている間は回転蓋70が回転するので、効率よく補給作業を行うことができる。
（第二の実施の形態）
図９乃至図１３は、本発明の第二の実施の形態を示す図である。
【００４７】
第二の実施の形態は、回転蓋70の直径を、塞ぎ枠54の開口部54Aよりも小径に形成し、回転蓋70にスリットを設けてメダルを通過可能としたものである。なお、第二の実施の形態におけるスロットマシンＳ及びホッパーユニット５の基本的構成、及びホッパーユニット５の作動に関しては、第一の実施の形態と同様であるので説明を省略し、本実施の形態の特徴点のみ述べる。
（回転蓋70）
第二の実施の形態においては、回転蓋70として、図９に示すような円盤スリット蓋73を設けてある。円盤スリット蓋73は、リング状の枠部77の内部に水平方向に並列して架けわたされた複数の仕切り板75を備え、仕切り板75の間の空間が、メダルが通過可能なスリット76となっている。また、各仕切り板75は、連結軸71から水平方向に形成された横梁78によって連結されており、円盤スリット蓋73が連結軸71の上端部に固定されるようになっている。
【００４８】
ここで、前記仕切り板75は、図１０に示すように、横梁78に固定されるベース部75Cから上方に向かって先細りする断面略五角形状の板部材である。そして、仕切り板75は、尖端部75Bと隣接する仕切り板75の尖端部75Bとの距離Ｐが、メダルの直径よりは小さく、メダルの半径よりも大きくなるよう形成されている。すなわち、二つの仕切り板75の尖端部75Bに跨って水平状態のメダルが乗ることはあるものの、三つの仕切り板75の尖端部75Bに跨ってメダルが乗ることはない。このため、メダルが水平状態で二つの仕切り板75の傾斜部75Aの間に詰まることがないものである。また、ベース部75Cと隣接する仕切り板75のベース部75Cの隙間ｐは、メダル１枚分の厚みよりも大きくなるよう形成されている。このため、メダルが垂直状態で二つの仕切り板75のベース部75Cの間に詰まることがないものである。
【００４９】
そして、円盤スリット蓋73は、図１１に示すように、塞ぎ枠54の底面と仕切り板75の尖端部75Bがほぼ面一となるように、開口部54Aの内側に設置される。このとき、枠部77の外周部と開口部54Aの内周部との間には、メダルが通過可能な間隙は生じない。
遊技時（ホッパーモータ61の非作動時）において、上部開口50Aに投入されるメダルは、塞ぎ枠54の傾斜部54Bを滑落し、あるいは直接円盤スリット蓋73の仕切り板75の上面に落下する。このとき、垂直状態又は斜め状態のメダルは、仕切り板75の傾斜部75Aを滑落してスリット76を通りメダル貯留部51に誘導される。一方、水平状態のメダルは、仕切り板75の尖端部75Bに乗った場合にはバランスを失って斜め状態となりスリット76に落下するが、二つの仕切り板75の尖端部75Bに跨って乗ったメダルはそのまま円盤スリット蓋73の上面に乗ったままとなる（図１０参照）。しかし、メダルの払い出しでホッパーモータ61が駆動すれば、回転ディスク62と同期して円盤スリット蓋73も回転するので、この回転によって尖端部75Bに乗っているメダルが移動し、スリット76に落下する。
【００５０】
メダル補給時には、駆動スイッチ81の操作によってホッパーモータ61の駆動に伴い円盤スリット蓋73が回転するため、仕切り板75の上面にあるメダルは適宜攪拌されて、スリット76から落下する。
（回転蓋70の変形例）
回転蓋70として、図１２に示すような円錐スリット蓋74を設けてもよい。
円錐スリット蓋74は、連結軸71の上端に形成された円錐形の頂部71Aから放射状に三角形の仕切り板75を延設し、仕切り板75の端部をリング状の枠部77で連結した構造となっている。仕切り板75は、円盤スリット蓋73の仕切り板75と同様に、断面五角形状に形成されており、尖端部75Bの稜線は頂部71Aの斜面と一直線となるように形成されている。そして、円錐スリット蓋74は、図１３に示すように、全体として側面視円錐形を成し、平面視すると、図１２（Ａ）に示すように、複数の仕切り板75の間に扇型のスリット76が形成されるようになっている。
【００５１】
ここで、仕切り板75の連結軸71との付け根部分において隣接する仕切り板75のベース部75Cとの間の距離ｐは、メダル１枚分の厚みよりもよりも大きくなるよう形成されている。このため、メダルが垂直状態で二つの仕切り板75の間に詰まることがないものである。また、仕切り板75の枠部77との連結部分において隣接する隣接する仕切り板75のベース部75Cとの間の距離Ｐは、メダルの直径よりも大きくなるよう形成されている。このため、メダルが水平状態で二つの仕切り板75の間に詰まることがないものである。
そして、円錐スリット蓋74は、図１３に示すように、塞ぎ枠54の底面と仕切り板75のベース部75Cの底面がほぼ面一となるように、開口部54Aの内側に設置される。このとき、枠部77の外周部と開口部54Aの内周部との間には、メダルが通過可能な間隙は生じない。
【００５２】
遊技時（ホッパーモータ61の非作動時）において、上部開口50Aに投入されるメダルは、塞ぎ枠54の傾斜部54Bを滑落し、あるいは直接円盤スリット蓋73の仕切り板75の上面に落下する。このとき、垂直状態又は斜め状態のメダルは、仕切り板75の傾斜部75Aを滑落してスリット76を通りメダル貯留部51に誘導される。一方、水平状態のメダルは、下り傾斜している仕切り板75の尖端部75Bを滑落し、隣接する仕切り板75との間が広くなっている周縁部でスリット76に落下する。
メダル補給時には、円錐スリット蓋73が回転するため、より効率よくメダル貯留部51にメダルを誘導できる。
【００５３】
ところで、この円錐スリット蓋74によれば、ホッパーモータ61の非作動時に回転蓋70の上面にメダルが載置されたままになることはほとんど無い（このことは、第一の実施の形態における円錐蓋72にも言えることである）。そこで、遊技中のメダル払い出しによるホッパーモータ61の駆動時には、円錐スリット蓋73が回転しないように形成してもよい。具体的には、第一の実施の形態でも述べたように、ホッパーモータ61の駆動軸61Aと回転ディスク62との連結部分にワンウェイクラッチを設け、ホッパーモータ61がメダル払い出し方向と逆回転する場合には回転ディスク62が回転しないように形成する。これに加え、ホッパーモータ61の駆動軸61Aと連結軸71との連結部分にもワンウェイクラッチを設け、ホッパーモータ61がメダル払い出し方向に回転する場合には駆動軸61Aから連結軸71に回転力が伝達されないようにし、ホッパーモータ61が逆回転する場合のみ、連結軸71が回転するように形成する。このように形成することにより、回転蓋70は駆動スイッチ81をＯＮにしたときのみ回転することとなり、遊技中のメダル払い出し時に無駄に回転することがなくなる。
【００５４】
ここで、駆動スイッチ81の操作タイミングは、必ずしもメダル補給前やメダル補給中に限られない。上記した円錐蓋72や第一の実施の形態における円錐スリット蓋74を用いる場合、上部開口50Aからメダルを投入した後で、駆動スイッチ81を操作してホッパーモータ61を駆動させ、円盤スリット蓋73の上面に残っているメダルを回転によりメダル貯留部51に落下させることもできる。円盤スリット蓋73の場合にも、円盤スリット蓋73を回転させなくてもある程度のメダルはメダル貯留部51に落下するので、同様である。従って、ホッパーエラーを解除するためのリセットスイッチを操作するとホッパーモータ61が所定時間駆動するように形成されている場合には、駆動スイッチ81を別途設けなくともよい。ただ、メダル補給の最中にホッパーモータ61を駆動可能とするほうが、補給の補助という観点からはより好ましい。
【００５５】
また、第一の実施の形態でも述べたように、外装箱50を円筒形に形成する場合には、塞ぎ枠54を設ける必要がない。そして、円盤スリット蓋73又は円錐スリット蓋74は、外装箱50の上端からの深さ位置が上面に乗ったメダルのこぼれ落ちない程度の位置となっていればよく、回転蓋70の周縁部と外装箱50の内周との間には、メダルは通過できなくても回転蓋70が回転可能となる間隙が形成されていれば足りる。
なお、本発明には、第一の実施の形態と第二の実施の形態を組み合わせたものも含まれる。例えば、第一の実施の形態の円錐蓋72にメダルが通過可能なスリットを設けてもよい。この場合のスリットは、第二の実施の形態の円錐スリット蓋74と同様に放射状に形成してもよいし、円盤スリット蓋73のように平行状態に形成してもよく、少なくともメダルが垂直状態で通過可能に形成してあればよい。そして、このように形成した場合には、上部開口50Aから投入されたメダルのうち、垂直状態のものはスリットを通過して落下し、水平状態のものは円錐蓋72の上面を滑落して円錐蓋72の周縁部と塞ぎ枠54の開口部54Aの間の隙間から落下するので、より効率的にメダルを補給することができる。
【符号の説明】
【００５６】
Ｓ  スロットマシン                  １  筐体
２  リールユニット                  ３  前扉
５  ホッパーユニット（ホッパー装置）６  制御装置
50  外装箱                         50A  上部開口（開口部）
51  メダル貯留部（貯留部）          54  塞ぎ枠
54A  開口部                         54B  傾斜部
60  メダル送り装置（払い出し装置）  61  ホッパーモータ（駆動装置）
62  回転ディスク                    63  メダル孔
67  ストッパー
70  回転蓋                          71  連結軸
76  スリット（通過間隙）
80  補給補助手段                    81  駆動スイッチ
82  ソレノイド（払い出し禁止装置）  90  払い出し検知部
【図１】
2011050671.tif 000003
【図２】
2011050671.tif 000004
【図３】
2011050671.tif 000005
【図４】
2011050671.tif 000006
【図５】
2011050671.tif 000007
【図６】
2011050671.tif 000008
【図７】
2011050671.tif 000009
【図８】
2011050671.tif 000010
【図９】
2011050671.tif 000011
【図１０】
2011050671.tif 000012
【図１１】
2011050671.tif 000013
【図１２】
2011050671.tif 000014
【図１３】
2011050671.tif 000015